【手続補正書】
【提出日】平成16年10月21日(2004.10.21)
【手続補正１】
【補正対象書類名】明細書
【補正対象項目名】発明の名称
【補正方法】変更
【補正の内容】
【発明の名称】文書画像への電子すかしの埋め込み方法、検出方法、及び埋め込み装置、検出装置
【手続補正２】
【補正対象書類名】明細書
【補正対象項目名】特許請求の範囲
【補正方法】変更
【補正の内容】
【特許請求の範囲】
【請求項１】
文書画像に対して電子透かしを埋め込む埋め込み方法であって、
前記文書画像から文字を抽出する抽出工程と、
前記抽出した文字の中から、少なくとも２つの所定の文字を選択する選択工程と、
前記選択した文字のうち少なくとも１つの文字の所定部分を変形することで、前記文書画像に電子透かしを埋め込む埋め込み工程とを有することを特徴とする埋め込み方法。
【請求項２】
さらに、前記埋め込み工程で埋め込まれた文書画像を出力する出力工程を有することを特徴とする請求項１に記載の埋め込み方法。
【請求項３】
前記埋め込み工程は、前記所定部分を太線化することを特徴とする請求項１または２記載の埋め込み方法。
【請求項４】
前記選択工程は、同じ文字コードで、かつ、同じフォントを持つ文字を少なくとも２つ選択することを特徴とする請求項１ないし３の何れか１項記載の埋め込み方法。
【請求項５】
前記選択工程は、文字の特徴量を用いて、前記所定の文字を選択することを特徴とする請求項１ないし４の何れか１項記載の埋め込み方法。
【請求項６】
文書画像へ埋め込まれた電子透かしを検出する検出方法であって、
前記文書画像から文字を抽出する抽出工程と、
前記抽出した文字の中から、少なくとも２つの所定の文字を選択する選択工程と、
前記選択した文字の所定部分を比較することで、前記検出対象の文字であるかどうかを判定し、その判定結果に応じて、前記選択文字の前記所定部分とは異なる部分を比較することで、前記文書画像へ埋め込まれた電子透かしを検出する検出工程を有することを特徴とする検出方法。
【請求項７】
さらに、前記検出工程の結果に応じて、前記文書画像が所定の文書画像かを判定する判定工程とを有することを特徴とする請求項６に記載の検出方法。
【請求項８】
前記所定の文字とは、同じ文字コードをもつ文字であることを特徴とする請求項６又は７に記載の検出方法。
【請求項９】
前記検出対象の文字とは、同じフォントを持つ文字であることを特徴とする請求項６ないし８の何れか１項に記載の検出方法。
【請求項１０】
前記検出工程は、文字の特徴量を用いて、電子透かしを検出することを特徴とする請求項６ないし９の何れか１項に記載の検出方法。
【請求項１１】
文書画像に対して電子透かしを埋め込む埋め込み装置であって、
前記文書画像から文字を抽出する抽出手段と、
前記抽出した文字の中から、少なくとも２つの所定の文字を持つ文字を選択する選択手段と、
前記選択した文字のうち少なくとも１つの文字の所定部分を変形することで、前記文書画像に電子透かしを埋め込む埋め込み手段とを有することを特徴とする埋め込み装置。
【請求項１２】
文書画像へ埋め込まれた電子透かしを検出する検出装置であって、
前記文書画像から文字を抽出する抽出手段と、
前記抽出した文字の中から、少なくとも２つの所定の文字を選択する選択手段と、
前記選択した文字の所定部分を比較することで、前記検出対象の文字であるかどうかを判定し、その判定結果に応じて、前記選択文字の前記所定部分とは異なる部分を比較することで、前記文書画像へ埋め込まれた電子透かしを検出する検出手段を有することを特徴とする検出装置。
【手続補正３】
【補正対象書類名】明細書
【補正対象項目名】０００１
【補正方法】変更
【補正の内容】
【０００１】
【発明の属する技術分野】
本発明は文書画像への電子すかしの埋め込み方法、検出方法、及び埋め込み装置、検出装置に関するものである。
【手続補正４】
【補正対象書類名】明細書
【補正対象項目名】０００４
【補正方法】変更
【補正の内容】
【０００４】
本発明は以上の点に着目して成されたもので、主に二値画像への埋め込みを目的とし一度印刷されても再読み込みするスキャナの特性に依存しないで検出を可能にする文書画像への電子すかしの埋め込み方法、検出方法、及び埋め込み装置、検出装置を提供することを目的とする。
【手続補正５】
【補正対象書類名】明細書
【補正対象項目名】０００９
【補正方法】変更
【補正の内容】
【０００９】
（１）文書画像に対して電子透かしを埋め込む埋め込み方法であって、
前記文書画像から文字を抽出する抽出工程と、
前記抽出した文字の中から、少なくとも２つの所定の文字を選択する選択工程と、
前記選択した文字のうち少なくとも１つの文字の所定部分を変形することで、前記文書画像に電子透かしを埋め込む埋め込み工程とを有することを特徴とする埋め込み方法。
（２）文書画像へ埋め込まれた電子透かしを検出する検出方法であって、
前記文書画像から文字を抽出する抽出工程と、
前記抽出した文字の中から、少なくとも２つの所定の文字を選択する選択工程と、
前記選択した文字の所定部分を比較することで、前記検出対象の文字であるかどうかを判定し、その判定結果に応じて、前記選択文字の前記所定部分とは異なる部分を比較することで、前記文書画像へ埋め込まれた電子透かしを検出する検出工程を有することを特徴とする検出方法。
（３）文書画像に対して電子透かしを埋め込む埋め込み装置であって、
前記文書画像から文字を抽出する抽出手段と、
前記抽出した文字の中から、少なくとも２つの所定の文字を持つ文字を選択する選択手段と、
前記選択した文字のうち少なくとも１つの文字の所定部分を変形することで、前記文書画像に電子透かしを埋め込む埋め込み手段とを有することを特徴とする埋め込み装置。
（４）文書画像へ埋め込まれた電子透かしを検出する検出装置であって、
前記文書画像から文字を抽出する抽出手段と、
前記抽出した文字の中から、少なくとも２つの所定の文字を選択する選択手段と、
前記選択した文字の所定部分を比較することで、前記検出対象の文字であるかどうかを判定し、その判定結果に応じて、前記選択文字の前記所定部分とは異なる部分を比較することで、前記文書画像へ埋め込まれた電子透かしを検出する検出手段を有することを特徴とする検出装置。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００２４
【補正方法】変更
【補正の内容】
【００２４】
（検出処理２）
図３ステップＳ３０７−Ｓ３１０では同じ文字コードを持つ文字の組を見つけたらそのまま文字の特徴量を比較するが、比較する前に比較する一方の右半分を図２ステップＳ２０８と同様に変形処理を行ってから特徴量の比較を行い、その差分が小さい場合に埋め込まれたデータがあると判断する。図６はそのフロー図であり、ステップＳ６０１では対象となる文字画像Ａ、Ｂの一方Ａの変形処理をして新たな文字画像Ａ’を作成する。次にステップＳ６０２において文字画像Ａ’、Ｂの特徴量を抽出する。ステップＳ６０３−Ｓ６０４ではその特徴量の比較を行い差が大きい場合はステップＳ６０５に進む。ステップＳ６０５では文字画像Ｂの変形処理をして文字画像Ｂ’を作成する。その文字画像の特徴量を次のステップＳ６０６で抽出する。ステップＳ６０７−Ｓ６０８では文字画像ＡとＢ’の特徴量の比較を行い、その差が小さい場合は埋め込まれたデータがあり、大きい場合はないと判定される。